(57)【要約】      （修正有）【課題】体液その他の浸出液を吸収するための吸収物品を下着に固定するための固定部材を提供する。【解決手段】下着に結合されかつ下着の股部分１６に亘って延在するように形成されたエラストマボディと、エラストマボディに形成された複数の開口４０を設けその間に吸収性物品をふくむ衛生物品を固定するようにする。又は、固定部材が股部分にポケットを形成するようにしたりメッシュ状のボデイを含んだり、洗濯可能な材料を含むようにする。【選択図】図３
2005325506.tif 000002
【特許請求の範囲】
【請求項１】
下着のための固定部材において、該固定部材が、
下着に結合されかつ下着の股部分に亘って延在するように形成されたエラストマボディと、
該エラストマボディに形成された複数の開口とが設けられていることを特徴とする、下着のための固定部材。
【請求項２】
エラストマボディが、該エラストマボディの下側に衛生物品を収容するように形成されている、請求項１記載の固定部材。
【請求項３】
エラストマボディが、下着の股部分の前方領域又は後方領域のうちの少なくとも一方に結合されるように形成されている、請求項１記載の固定部材。
【請求項４】
エラストマボディが、耐汚染材料を含んでいる、請求項１記載の固定部材。
【請求項５】
エラストマボディが、下着の股部分に取外し可能に結合されるように形成されている、請求項１記載の固定部材。
【請求項６】
複数の開口が対称的な配列で形成されている、請求項１記載の固定部材。
【請求項７】
エラストマボディが、該エラストマボディ内に衛生物品を収容するためのポケットを形成している、請求項１記載の固定部材。
【請求項８】
エラストマボディがプラスチックフィルムを含んでいる、請求項１記載の固定部材。
【請求項９】
下着において、
前側部分と、後側部分と、前側部分と後側部分との間に延在した股部分と、該股部分に亘って延在した少なくとも１つの固定部材とが設けられており、該少なくとも１つの固定部材が、複数の開口を有する弾性的部分を含んでいることを特徴とする、下着。
【請求項１０】
少なくとも１つの固定部材が、股部分のそれぞれの側に結合されている、請求項９記載の下着。
【請求項１１】
少なくとも１つの固定部材が、股部分の幅よりも大きな長さを有するように形成されている、請求項９記載の下着。
【請求項１２】
少なくとも１つの固定部材が、股部分にポケットを形成するように形成されている、請求項９記載の下着。
【請求項１３】
少なくとも１つの固定部材が股部分の前方領域に結合されておりかつ、少なくとも１つの固定部材が股部分の後方領域に結合されている、請求項９記載の下着。
【請求項１４】
少なくとも１つの固定部材がメッシュ状のボディを含んでいる、請求項９記載の下着。
【請求項１５】
少なくとも１つの固定部材が洗濯可能な材料を含んでいる、請求項９記載の下着。
【請求項１６】
下着を形成する方法において、
固定部材に複数の開口を形成し、固定部材が弾性的ボディを有しており、
下着の股部分に亘って固定部材を取り付けることを特徴とする、下着を形成する方法。
【請求項１７】
前記取り付けることが、股部分に亘って固定部材を取外し可能に結合することを含む、請求項１６記載の方法。
【請求項１８】
使い捨ての下着において、
前側部分と、後側部分と、前側部分と後側部分との間に延在している股部分と、
第１の閉鎖端部固定領域と、第２の閉鎖端部固定領域と、第３の開放端部固定領域とが設けられており、前記第１、第２及び第３の固定領域のそれぞれが、治療物品を取外し可能に固定するように寸法決めされていることを特徴とする、使い捨ての下着。
【請求項１９】
前記第１、第２及び第３の固定領域のそれぞれが、冷却パッド治療物品を取外し可能に固定するように寸法決めされている、請求項１８記載の使い捨ての下着。
【請求項２０】
前記第１、第２及び第３の固定領域のそれぞれが、加熱パッド治療物品を取外し可能に固定するように寸法決めされている、請求項１８記載の使い捨ての下着。
【請求項２１】
前記第３の固定領域が弾性体から成る、請求項１８記載の使い捨ての物品。
【請求項２２】
下着のための物品において、
トップシートと、バックシートと、治療物品を収容するための凹所を有するボディと、固定領域を備えたウイングとが設けられていることを特徴とする、下着のための物品。
【請求項２３】
前記治療物品を収容するための凹所を有する前記ボディが、冷却パッド治療物品を収容するための凹所を有するボディを含む、請求項２２記載の物品。
【請求項２４】
固定領域を備えた第２のウイングが設けられている、請求項２２記載の物品。
【請求項２５】
前記トップシートが吸収性である、請求項２２記載の物品。
【請求項２６】
前記トップシートの下側に吸収性の層が配置されている、請求項２２記載の物品。
【請求項２７】
前記バックシートがさらに接着剤コーティングを含む、請求項２２記載の物品。
【請求項２８】
下着において、
前側部分と、後側部分と、前側部分と後側部分との間に延在した股部分と、
取外し可能な衛生物品スリーブとが設けられており、該衛生物品スリーブが、トップシートと、バックシートと、治療物品を収容するための凹所を有するボディと、固定領域を備えたウイングとを有していることを特徴とする、下着。
【請求項２９】
下着に冷却パッドを供給するための方法において、
トップシートと、バックシートと、治療物品を収容するための凹所を有するボディと、固定領域を備えたウイングとを備えた衛生物品スリーブを適用し、
前記凹所に治療物品を挿入し、
前記下着の股部分に前記ウイングを巻き付けることを特徴とする、下着に冷却パッドを供給するための方法。
【請求項３０】
下着において、
前側部分と、後側部分と、前側部分と後側部分との間に延在した股部分と、
衛生物品を収容するために、前記股部分に少なくとも部分的に配置スリーブとが設けられていることを特徴とする、下着。
【請求項３１】
衛生物品を収容するために前記股部分に少なくとも部分的に配置された前記スリーブが、さらに、治療物品を収容するために前記股部分に少なくとも部分的に配置されたスリーブを含む、請求項３０記載の使い捨て下着。
【請求項３２】
衛生物品を収容するために前記股部分に少なくとも部分的に配置された前記スリーブが、さらに、冷却パッド治療物品を収容するために前記股部分に少なくとも部分的に配置されたスリーブを含む、請求項３０記載の使い捨て下着。
【発明の詳細な説明】
【技術分野】
【０００１】
関連する出願とのクロスリファレンス
本願は、ジョン・Ｄ・ゴットワルド及びコンスタンス・Ｓ・ドネリーによって２００４年５月３日に出願された米国特許出願連続番号第６０／５６７６１３号明細書から出願日の利益を請求し、その開示内容は引用により本明細書に記載されたものとする。
【０００２】
実施形態は、概して下着、特に衛生物品及びその他の物品と共に使用するための下着に関する。さらに、実施形態は、衛生物品、例えば吸収性物品、治療物品、吸収性物品と治療物品との組合せ等の位置を下着において維持するための固定部材及び物品に関する。
【背景技術】
【０００３】
衛生物品、特に下着と共に使用するための、体液及びその他の浸出液を吸収するための吸収性物品が知られている。例えば、女性用ナプキン、女性用パッド、パンティライナー、失禁挿入体及び同様のものは、体液を吸収しかつ保持するために使用されている。これらの吸収性物品は、通常、身体浸出液等の液体を吸収しかつ保持するために身体の一部に隣接又は近接して配置される。
【０００４】
漏れを低減する等の、これらの吸収性物品の適切な機能を保証するために、例えば下着内での吸収性物品の適当な位置を維持するために、種々異なる結合部材が使用されている。このような結合部材は、接着剤、クリップ、調節可能／位置決め可能な部材（例えば位置決め可能なフラップ）及び称賛の固定部材（例えばフック・ループ式ファスナ）を含む。これらの結合部材は、特に下着内における吸収性物品の位置を維持するために使用されている。
【０００５】
これまで、吸収性物品の位置を維持するためのこれらの結合部材は、しばしば使用するのが困難であり、例えば、必要であれば吸収性物品の再配置及び／又は交換を含む、下着内に吸収性物品を適切に配置することが困難である。結合部材も、十分に機能しないか、又はその設計により使用者によって不快である。例えば、これらの部材は、吸収性物品を下着に十分に固定しないか、又は不快な領域において使用者の皮膚に接触する。さらに、これらの結合部材は、短期間だけしか下着内における吸収性物品の位置を維持しない。さらに、結合部材は、下着のタイプ及び吸収性物品の使用の程度に応じて、下着に損傷を与える。
【０００６】
治療物品も様々な形式で使用される。例えば、加熱及び／又は冷却タイプパッドは、領域を加熱及び／又は冷却するために身体の一部に隣接又は近接して配置される。従来、これらの治療物品は、重力又は外力の使用によって、例えばパッドを領域に対して単に保持し、パッドを包帯等の下側に巻き付けることによって配置される。
【０００７】
これまで、これらの位置決め技術はしばしば使用するのが困難であり、例えば、治療物品を身体に対して適切に位置決め及び保持するのが困難である。治療物品を再加熱及び／又は再冷却する必要性は、複雑な連続した解き及び巻き直しを伴い、物品が提供される患者がこの仕事を行う必要がある場合にはより困難になる。また、位置決め技術は十分に機能せず、又はその設計により使用者に対して不快である。
【０００８】
治療物品は、吸収性物品と共に使用されることも望まれる。この場合、上に挙げられたような従来の問題が拡大される。
【発明の開示】
【発明が解決しようとする課題】
【０００９】
本発明の課題は従来の欠点を排除することである。
【課題を解決するための手段】
【００１０】
前記課題は請求項１記載の特徴により解決される。
【発明を実施するための最良の形態】
【００１１】
図１及び図２は、下着１０、特に様々な実施形態に基づく下着を示している。下着１０は、様々なタイプの個人、例えば男、女、若者、老人、衛生物品又は失禁物品の使用を必要とする種々異なる医療条件を備える人等によって使用されるために、種々異なる形状及び寸法に形成されている。概して、下着１０は、前側部分１２と、後側部分１４と、股部分１６とを有している。前側部分１２と、後側部分１４と、股部分１６とは相俟って、下着１０の本体部分１８を形成している。前側部分１２と、後側部分１４と、股部分１６とは、全体が一体的に構成されているか、又は複数の部分から形成されていてよい（例えば継ぎ合わされていてよい）。股部分１６は、下着１０の下側部分２０に配置されており、概して前側部分１２と後側部分１４との間に延びている。下着１０の上側部分２２はウエスト部分２４によって規定されており、このウエスト部分は、例えば弾性的なウエスト部材（図示せず）を含んでいてよい。前側部分１２及び後側部分１４はそれぞれウエスト部分２４にまで延びていて、このウエスト部分２４に結合されている。
【００１２】
開口２６は、前側部分１２と、後側部分１４と、股部分１６とによって規定されており、特に下着１０のそれぞれの側に設けられている。使用者は下着を装着するために開口２６に足を通すことができる。
【００１３】
下着１０は、例えば綿又は使用者が装着するのに快適なその他の材料等のあらゆる適切な材料から製作されていてよい。材料は、下着の使用目的に応じて流体を吸収するか又は抵抗するように形成されていてもよい。例えば、用途に応じて、下着１０の全部又は一部は、親水性材料又は疎水性材料から形成されていてよい。さらに、下着１０は、望み又は必要に応じて付加的な支持又は流体保持／抵抗特性を提供するための別個のライニング（図示せず）を有していてよい。
【００１４】
図３は、実施形態に基づく股部分１６の内側部分２８を示している。股部分１６は、股部分１６に取り付けられた１つ又は２つ以上の固定部材３０を有している。固定部材３０は、股部分１６を概して横方向に横切って延びており、股部分１６の側部３２に固定されている。例えば、固定部材３０は、股部分１６にしっかりと又は永久に結合されている（例えば股部分１６に縫着又は継ぎ合わされている）。しかしながら、様々な実施形態において、固定部材３０は、クリップ部材又はその他の適切な結合部材を使用して、取外し可能に股部分１６に結合されていてよい。さらに、２つの固定部材３０が図３に示されているが、例えば下着の寸法又は下着１０に固定されるべき衛生物品のタイプに基づいて、望み又は必要に応じて、付加的な又はより少ない固定部材３０が下着１０の部分として提供されてもよい。例えば、加熱パッド、冷却パッド、あらゆるその他の適切なパッド等の治療物品の適用を提供する実施形態が以下に説明される。
【００１５】
様々な実施形態は、１つ又は複数の所望の領域に衛生物品用途を提供するために修正されてよい。したがって、例えば、会陰治療領域、肛門治療領域、尾骨治療領域、性器治療領域等は、全て修正された衛生物品用途領域を生じる。実施形態は、種々異なる寸法の個人、治療領域、及び種々異なる衣料のためにも寸法決めされてよい。
【００１６】
衛生物品は、下着の内側又は外側において保持されてよい。下着自体が衛生物品を所定の位置に保持するのを助けるように働くので、内部構造はより小さな保持力を必要とする。
【００１７】
図３を参照すると、固定部材３０は、この固定部材の下側に衛生物品を固定及び／又は維持するために膨張するように弾性材料から形成されている。例えば、固定部材３０は、下着１０に対する衛生物品の移動に抵抗するためのエラストマボディ部分を有している。１つの実施形態において、固定部材３０は、弾性的なフィルムから形成されており、股部分１６の前方領域３６と後方領域３８とに固定されたストラップとして形成されていいてよい。弾性的なフィルムは、部分的にプラスチック、複合材料又はその他の適切な材料から形成されている。
【００１８】
固定部材３０は、あらゆる弾性的な材料から形成されており、１つの実施形態において、流体を開口４０に流過させるために疎水特性を有して形成されており、このことは図４により明らかに示されている。例えば、固定部材３０を形成するために使用するための弾性的なフィルムは、米国特許第５７３３６２８号明細書、“Breathable Elastic Polymeric Film Laminates”に説明されており、この米国特許明細書は引用により全体が本明細書に記載されたものとする。ここで使用される用語「弾性的」及び「エラストマ」は、バイアス力の提供により、有利には弛緩したバイアスされない長さの少なくとも１５０％における伸長されたバイアスされた長さに伸長可能若しくは延長可能であり、伸び力が解放された時にその伸びの少なくとも５０％だけ収縮する材料を意味する。
【００１９】
固定部材３０は、下着１０に固定される衛生物品のタイプ又は寸法に基づいて、例えば衛生物品の高さ又は厚さに基づいて、より大きい又は小さい長さが提供されるように股部分１６に結合される。固定部材３０は、固定部材３０が取り付けられる股部分１６の幅と実質的に等しい長さを有しているか、股部分１６の幅よりも長い又は短い長さを有していてよい。
【００２０】
図４に示したように、固定部材３０は、固定部材を貫通した複数の開口４０を有している。図示したように、開口４０は、正方形であり、対称的なパターン又は配列で概して固定部材４０の全長に亘って延びており、例えばメッシュ配列に構成されている。しかしながら、開口は、例えば矩形、三角形、円形、多角形等に形成されていてもよく、互いに同じ又は異なる寸法を有していてよい。さらに、開口４０は固定部材３０の一部にのみ沿って延びている及び／又は例えば機能的又は美的要求に基づいて非対称的又は任意パターンで配置されていてよい。開口４０は、例えば真空成形、水成形又は高温ピンアパーチャリング等によって、三次元アパーチャを形成するために、この分野において知られた又は今後開発されるあらゆる形式で形成される。
【００２１】
さらに、固定部材３０は股部分１６の前方領域３６及び後方領域３８に結合されて示されているが、固定部材３０の位置は、例えば下着１０のタイプ、下着１０の予想される使用者、固定される衛生物品のタイプ、用途等に基づいて選択されてよい。例えば、１つ又は２つ以上の固定部材３０は股部分１６の中央又は中間のより近くに、又は前側部分１２又は後側部分１４に沿ってより高くに結合されてよい。
【００２２】
さらに、固定部材３０の寸法及び形状は、例えば機能的又は美的要求に基づいて、望み又は必要に応じて修正されてよい。１つの実施形態において、固定部材３０は、股部分１６の側部３２に結合されるための長さ及び約半インチの幅を備えた概して矩形であるように形成されている。別の実施形態において、固定部材３０の長さは、約１／８インチ〜２インチである。固定部材３０の幅はあらゆる寸法に修正されてよい。さらに、固定部材３０の厚さは、望み又は必要に応じて修正されてよい。
【００２３】
例えば補強された又はライニングされた内部股部分１６を提供するように、実施形態に対する様々な修正が考えられる。例えば、望み又は必要に応じて股部分１６の全部又は一部に親水性材料が提供されてよい。さらに、固定部材３０は、耐汚染材料（例えばプラスチック）及び／又は洗濯可能な材料で形成又はコーティングされてよい。付加的に、固定部材は、あらゆるタイプ又は種類の開口された及び／又は通気性のエラストマフィルム若しくは材料から形成されていてよい。
【００２４】
つまり、図５に示したように、固定部材３０は、衛生物品４２（例えば女性用衛生パッド又はその他の吸収性物品）の移動に抵抗し、例えば下着１０に対する衛生物品４２の位置を固定及び維持する。特に、固定部材３０は、この固定部材の下側に衛生物品４２を挿入するために拡開され、固定部材３０の弾性により、衛生物品４２は、所望の又は所要の位置に維持され、衛生物品４２の移動が抵抗される。さらに、衛生物品４２の再位置決めが望まれる又は必要とされるならば、使用者は、下着１０を取り外して又は下着１０を装着したまま衛生物品４２を移動させてよい。
【００２５】
衛生物品４２は、浸出液又はあらゆるタイプの身体流体又は体液を含む用途において使用するためのあらゆるタイプ又は種類の吸収物品、保持物品、又は保護物品であってよい。本明細書において使用される場合、「吸収物品」若しくは「吸収性物品」という用途は、身体浸出液を吸収及び保持する物品を意味する。特に、この用語は、身体から排出される様々な浸出液を吸収しかつ含有するために装着者の身体に当て付けられて又は近接して配置される物品、例えばおむつ、失禁物品、衛生ナプキン、パンティライナ、包帯、及び身体浸出液を吸収するために使用されるその他の適切な物品を表す。
【００２６】
使用時、固定部材３０は、下着１０に衛生物品４２を保持するのを容易にする一方で、開口４０は、浸出液が固定部材を通過して衛生物品４２（例えば吸収性物品）に到達することを可能にする。固定部材３０は、衛生物品４２の移動に抵抗しかつ固定部材の下側における衛生物品４２の位置を維持するために、衛生物品４２の一部（例えば端部）に接触する。
【００２７】
固定部材３０は、股部分１６の前方領域３６及び後方領域３８に結合されて示されているが、例えば使用者の快適性と、衛生物品４２の保持力とを改善するために、固定部材３０の位置は修正されてよい。さらに、固定部材３０は、種々異なるタイプの保持部材を形成するように修正及び構成されてよい。例えば、図６に示したように、１つの固定部材３０が、衛生物品４２を収容するためのポケット４４、エンベロープ又はその他の収容部材を形成していてよい。１つの実施形態において、図示したように、ポケット４４は、固定部材３０を股部分の側部３２に結合しかつ、股部分１６の後方領域３８に沿って結合することによって形成されている。固定部材３０は、股部分１６の前方領域３６には結合されていないので、衛生物品４２の挿入を許容する開口４６を規定している。この実施形態は、衛生物品４２の大部分に亘っての固定部材３０の接触を提供する。
【００２８】
図７は別の実施形態を示している。上面図で示された下着１１５に衛生物品を固定するために固定領域１００，１０５及び１１０が使用されている。この実施形態において、衛生物品（図示せず）は冷却パッドタイプ物品であり、この衛生物品は、提供された領域に治療的利益を提供し、望みに応じて取り外されてよい。有利な実施形態は、イングランド、リーズ所在Florri-Feme Pharmaceuticals, Ltdによって製造されたFeme Pad ＴＭとして知られた冷却パッドを使用する。もちろん、この実施形態及びその他の実施形態において加熱用の又はあらゆるその他の適切な治療物品も望みに応じて使用されてよい。さらに、様々な実施形態において望みに応じて様々なタイプの衛生パッド（吸収性、冷却、加熱等）が交換されてよい。
【００２９】
図７において、固定領域１００及び１１０は、冷却パッドの端部を十分に固定するように寸法決めされた、閉鎖端部（例えばポケットタイプ）構造である。固定領域は、ある実施形態においては非弾性的な構造であり、所望の衛生物品を固定するように寸法決めされているが、その他の実施形態は、非弾性的構造に加えて又は非弾性的構造の代わりに弾性的構造を使用してよい。弾性的構造が使用される場合、固定領域は衛生物品を挿入するために十分に伸長し、次いで衛生物品を所定の位置に保持するために再び収縮する。前記のように、実施形態は、結合エレメント、例えば衛生物品を支持するための接着剤、フック・ループ式ファスナ、及び／又はその他の適切な手段を提供してよい。
【００３０】
図７の実施形態を参照すると、固定領域１０５は、弾性的な部材の有利な実施形態においては、開放端部構造、例えばストラップであり、ストラップ１０５は、衛生物品を挿入するために十分に伸長し、衛生物品を所定の位置に保持するように再び収縮する。もちろん、様々な実施形態においては、前述のように、固定領域は、衛生物品の保持を可能にするために下着の様々な領域に配置されてよい。
【００３１】
衛生物品は望みに応じて交換されてよい。例えば、Feme Pad ＴＭ等の冷却パッドを用いる実施形態においては、物品は、冷却された物品を再冷却又は挿入するために一定の期間ごとに交換されてよい。
【００３２】
図８は、概して１４９で実施形態を示している。衛生物品スリーブ１５０は、本体１５５とウイング１６０及び１６５とを有している。ウイング１６０及び１６５それぞれに設けられた固定領域１６１及び１６６は接着剤であるが、あらゆる適切な手段が様々な実施形態において使用されてよい。この実施形態は使い捨て実施形態であるが、その他の実施形態が再使用されてよい。
【００３３】
衛生物品スリーブ１５０は、治療物品を挿入及び／又は再挿入するために、有利な実施形態において本体１５５内に凹所を有している。例えば、開口１５１は治療物品１５２を収容する。開口１５１は、単に開放させられているか、又はあらゆる適切な手段、例えば重なり合ったフラップ等を使用して閉鎖されていてもよい。
【００３４】
衛生物品スリーブ１５０は、トップシート１５０ａとバックシート１５０ｂとを有している。トップシート１５０ａは、意図した使用に適したあらゆる材料から形成されている。例えば、スリーブ１５０が下着１０の内側において装着されるならば、トップシート１５０ａを柔軟な材料、例えば不織布、織布等から形成すると有利である。付加的な快適性のために、トップシート１５０ａが装着者の皮膚と接触して又はこれに近接して装着されるならばトップシート１５０ａが通気性材料であることが望まれるであろう。さらに、この実施形態又はその他の実施形態において、体液がトップシートを通過できるようにするためにトップシートは液体透過性（例えば穴あき成形フィルム又は不織布）であることが望まれるであろう。
【００３５】
例えば、吸収層は身体浸出液を吸収するためにトップシートの下側に配置される。ある実施形態において、吸収性の層は吸収性パッドを含む。
【００３６】
最後に、フィルムが使用される場合、フィルムが柔軟であると有利であり、フィルムが使用時に生ぜしめるノイズの大きさが考慮されるべきである。
【００３７】
これに対して、スリーブ１５０が下着１０の外側において装着されるならば、柔軟性、通気性、及び液体透過性の要求はそれ程重要ではないが、ノイズレベルは依然として考慮される。
【００３８】
同様に、バックシート１５０ｂも、特定の意図された使用目的と、柔軟性、液体透過性、通気性、ノイズレベル及び柔軟性等の所望の特性とに応じて、成形フィルム、微孔質通気性フィルム、鋳造又はブロー成形された液体不透過性フィルム、不織布、織布及び同様のもの等の適当な材料から形成されていてよい。
【００３９】
トップシート及び／又はバックシートを形成するために使用するための適切なフィルム及び不織布は、よく知られており、商業的に利用可能な吸収性物品、例えばおむつ、大人用失禁製品、パンティライナ及び同様のものにおいて広く使用されている。
【００４０】
バックシート１５０ｂには、下着への取付けを容易にするために接着剤コーティング（図示せず）が設けられていてもよい。あらゆる適切な接着剤は様々な実施形態において使用されてよい。接着剤コーティングは、バックシート１５０ｂの全部又はその一部にのみ提供される。
【００４１】
実施形態は、トップシート、バックシート及び／又はウイングに吸収性を提供する。さらに、あらゆる適切な付加的な吸収性材料の層が付加されてよい。付加的に、トップシート、バックシート、ウイング及び／又は付加的な層に、付加的な液体引力及び／又は吸収性を提供するために、親水性及び／又は疎水性材料及び／又は処理が使用されてよい。
【００４２】
図８を参照すると、内部又は外部下着取付けが提供されている。例えば、接着剤コーティングが内部股領域に取り付けられ、ウイング１６０及び１６５が股領域に周囲に巻き付けられ、固定領域１６１及び１６６が固定される。同様の使用形式が、外部装着のために提供され、例えば、ウイング１６１及び１６６はあらゆる下着の股部分の下側又は股部分の周囲に巻き付けられ、個々の固定装置を用いて固定される。前記のように、ウイングを有する実施形態において、ウイングは、吸収性及び親水性及び／又は疎水性であることにより付加的な浸出液制御を提供してよい。
【００４３】
ウイング１６０及び１６５は、柔軟性、通気性、柔軟性、ノイズレベル及び液体透過性の同じ考慮に応じて、ウイング１６０及び１６５は、トップシート１５０ａ及び／又はバックシート１５０ｂを形成するために使用される同じタイプのフィルム及び不織布から形成されていてよい。様々な実施形態において、ウイングには吸収性属性、例えばコア等が設けられており、これにより、ウイングは浸出物及び同様のもののための付加的な吸収を提供する。
【００４４】
図９は別の実施形態を示している。この場合、概して１７０で示された衛生物品は、不織布材料の１つの層１７１を有している。ウイング１７５及び１８０にそれぞれ設けられた、固定領域１７２及び１８１は接着剤であるが、あらゆる適切な手段が様々な実施形態において使用されてよい。この実施形態は使い捨て実施形態であるが、その他の実施形態が再使用されてもよい。
【００４５】
図１０は、衛生物品１８５が折り畳まれた、図９の実施形態を示している。この実施形態において、それぞれのウイング１７５及び１８０は物品１８５のための固定手段を提供する。もちろん、２つのウイングを備えた実施形態であることが望まれているわけではない。なぜならば、１つのウイングを備えた実施形態によって、物品安全性を備えたより軽い重量も達成されるからである。
【００４６】
図１１及び図１２は、下着１９０の股部分の周囲に巻き付けられた、図９の実施形態を示している。図１１は物品１７０の側面図であり、図１２は上面図である。
【００４７】
もちろん、図８及び図９に示された実施形態並びにその他の実施形態において、スリーブ及びあらゆる衛生物品に関するウイング寸法は、スリーブ自体及びスリーブ内に保持されたあらゆる物品がそうであるように、様々であってよい。ある実施形態においては、固定領域を備えた１つのウイングのみが設けられているか、ウイングは完全に省略されていてよい。これらの実施形態は有利には内部下着使用のためのものであり、これらの実施形態は、前記のように、物品及び／又はスリーブの保持を助けるために下着自体を使用する。ウイングは、横方向支持、つまり別の実施形態において、ストラップを提供するか、又は、１つ又は複数のウイングに加えて又はその代わりに横方向支持を提供するためにあらゆる適切な手段が使用されてよい。このような横方向支持は、弾性的な横方向支持、非弾性的な横方向支持、又は弾性的な横方向支持と非弾性的な横方向支持との組み合わせによって提供されてよい。
【００４８】
図１３は、使い捨て下着２００の上面図を示しており、この下着には、衛生物品を挿入するために、股部分に少なくとも部分的にスリーブ２１０が設けられている。この実施形態において、スリーブは、下着と同じ材料から形成されている、すなわち、２つの不織布のウェブの間に挟まれた弾性的なコアを有する通気性の弾性的なラミネートから形成されている。つまり、この実施形態及びその他の実施形態において単純な構成が提供され、厚さ及び不快感を増大させるので望ましくない材料を減じるために、１つのトップシートが股部分の縁部に固定される。衛生物品をしっかりと保持するのを助けるために、弾性的なトップシートが使用されてもよい。この実施形態及びその他の実施形態において、トップシート又は付加的な層において、吸収性が提供されてもよい。図１３に示されたような使い捨て下着は、身体浸出液を吸収しながら、衛生物品、例えば冷却パッド、温熱パッド等の適用のために設けられていてよい。
【００４９】
実施形態は、様々な寸法の衛生物品を保持するための調節可能な固定領域を用いる。さらに、様々な実施形態において、固定領域には衛生物品のための増大機構（enhancement mechanism）が設けられていてよい。例えば、実施形態には、治療物品の治療効果を方向付けるために固定領域又はその他の領域にチャネル、例えば方向付けられた加熱又は冷却ゾーン等、が設けられていてよい。物品及び／又は下着の、厚さ及び／又は材料は同様に適応されることができる。
【００５０】
様々な実施形態は、下着への衛生物品の保持を容易にする。実施形態は、衛生物品の移動に抵抗し、これにより、下着内に衛生物品を固定及び／又は維持する。実施形態は、一回使用（例えば使い捨て）及び／又は繰返し使用（例えば洗濯可能）の下着と組み合わせて実施されてよい。さらに、実施形態は、下着に関連して使用することに限定されず、衛生物品を維持しようとするあらゆるタイプの衣料品に関して実施されてよい。さらに、実施形態は、結合エレメント、例えば接着剤部分が設けられた衛生物品と組み合わせて実施されてよい。
【００５１】
実施形態は、使用に応じて様々な材料から形成されていてよい。例えば、病院、介護ホーム、その他のヘルスケア施設等の商業的な場面において使用される実施形態は、施設の要求、使用者の要求等に応じて、より重い及び／又は再利用可能な材料から形成されてよい。
【００５２】
様々な特定の実施形態がここに説明されているが、当業者は、発明の精神及び範囲内で様々な実施形態は修正された実施されることができることを認めるであろう。
【図面の簡単な説明】
【００５３】
【図１】実施形態に基づく下着の平面図を示している。
【図２】実施形態に基づく下着の斜視図を示している。
【図３】実施形態に基づく固定部材を有する下着の股部分の上面図を示している。
【図４】実施形態に基づく固定部材の上面図を示している。
【図５】実施形態に基づく固定部材を有する下着の股部分の上面図を示しており、固定部材を用いて衛生物品が固定されている。
【図６】別の実施形態による固定部材を有する下着の股部分の上面図である。
【図７】別の実施形態を示している。
【図８】別の実施形態を示している。
【図９】別の実施形態を示している。
【図１０】図９の実施形態の別の図を示している。
【図１１】図９の実施形態の別の図を示している。
【図１２】図９の実施形態の別の図を示している。
【図１３】別の実施形態を示している。
【符号の説明】
【００５４】
１０  下着、  １２  前側部分、  １４  後側部分、  １６  股部分、  １８  本体部分、  ２０  下側部分、  ２２  上側部分、  ２４  ウエスト部分、  ２６  開口、  ２８  内側部分、  ３０  固定部材、  ３２  側部、  ３６  前方領域、  ３８  後方領域、  ４０  開口、  ４２  衛生物品、  ４４  ポケット、  ４６  開口、  １１５  下着、  １００，１０５，１１０  固定領域、  １５０  衛生物品スリーブ、  １５０ａ  トップシート、  １５０ｂ  バックシート、  １５１  開口、  １５２  治療物品、  １５５  本体、  １６０，１６５  ウイング、  １６１，１６６  固定領域、  １７０  衛生物品、  １７１  層、  １７２，１８１  固定領域、  １７５，１８０  ウイング、  １８５  衛生物品、  １９０  下着、  ２００  使い捨て下着、  ２１０  スリーブ
【図１】
2005325506.tif 000003
【図２】
2005325506.tif 000004
【図３】
2005325506.tif 000005
【図４】
2005325506.tif 000006
【図５】
2005325506.tif 000007
【図６】
2005325506.tif 000008
【図７】
2005325506.tif 000009
【図８】
2005325506.tif 000010
【図９】
2005325506.tif 000011
【図１０】
2005325506.tif 000012
【図１１】
2005325506.tif 000013
【図１２】
2005325506.tif 000014
【図１３】
2005325506.tif 000015
【外国語明細書】
2005325506.tif 000016
2005325506.tif 000017
2005325506.tif 000018
2005325506.tif 000019
2005325506.tif 000020
2005325506.tif 000021
2005325506.tif 000022
2005325506.tif 000023
2005325506.tif 000024
2005325506.tif 000025
2005325506.tif 000026
2005325506.tif 000027
2005325506.tif 000028
2005325506.tif 000029
2005325506.tif 000030
2005325506.tif 000031
2005325506.tif 000032
2005325506.tif 000033
2005325506.tif 000034
2005325506.tif 000035
2005325506.tif 000036
2005325506.tif 000037
2005325506.tif 000038
2005325506.tif 000039
2005325506.tif 000040
2005325506.tif 000041
2005325506.tif 000042
2005325506.tif 000043
2005325506.tif 000044
2005325506.tif 000045
2005325506.tif 000046
2005325506.tif 000047
2005325506.tif 000048
2005325506.tif 000049
2005325506.tif 000050